(57)【要約】      （修正有）【課題】地震等による液状化の恐れを実際に再現するための液状化現象再現装置を提供する。【解決手段】アクリル容器１の内部に細砂２と水３を注入し、その細砂と水との上部に模型家屋５を載置する。該アクリル容器には、下部に防振容器６を設け、その内部には、防音材と振動モーター７を収納し、該防振容器内の下部に乾電池を収納した電池容器を敷設する。また、該防振容器の下部に振動抑制板を敷設する。【選択図】図１
0003174431.tif 000002
【実用新案登録請求の範囲】
【請求項１】
略四角形のアクリル容器（１）には、内部に細砂（２）と水（３）と注入し、該細砂（２）には、上部に模型家屋（５）を載置し、且つ該アクリル容器（１）には、下部に防振容器（６）を載置し、該防振容器（６）には、内部に振動モーター（７）と乾電池（１０）を収納した電池容器（９）を収納し、該電池容器（９）の下部には、防音用ウレタン（１２）を収納した振動抑制板（１１）を敷設したことを特徴とする液状化現象再現装置。
【考案の詳細な説明】
【技術分野】
【０００１】  本考案は、近年、液状化現象の被害が相次いで生じている状況であり、新築を考える際には、地震の強固に関心を示す人が増えている。そこで、この液状化現象を一般人又は施工者が住宅を建築する際に、基礎工法の違いにより生ずる現象を擬似的に再現するための液状化現象再現装置に関するものである。
【背景技術】
【０００２】  従来、この種の模型家屋の現物を使用して、液状化現象と基礎工事に対する施工効果を明確に説明すると云う再現装置の模型は散見されていない現状である。
【考案の概要】
【考案が解決しようとする課題】
【０００３】  従来の技術で知られているものでは、容器に砂と水を注入し、容器を左右に動作して液状化現象を起こしたものか、または、ペットボトルに砂と水を注入し、これを振って液状化を起こしているのが現状である。
然し、上記の様な方法を以って説明しても、現実に液状化現象によって生ずる家屋の移動、傾斜状態は、施工業者、施主にとっては、不明確であると云う問題点がある。
本考案のものは、上述の問題点を解決するためのものであり、その目的とする所は、簡易性を有し、携帯に便利な液状化現象再現装置によって、基礎工法の相違を容易に詳しく説明できる液状化より生ずる問題点を簡単に解決するためのものである。
【課題を解決するための手段】
【０００４】  上記目的を達成するために、本考案の液状化現象再現装置によれば、略四角形の透明なアクリル容器に対して、内部に各種の細砂と水を注入する。該アクリル容器には、内部の細砂の上面に簡易性を有する模型家屋を載置する。該アクリル容器の下部に載置した防振容器には、内部に振動モーターと乾電池を列設収納してある。また、該防振容器の下部には、防音用ウレタンを収納した振動抑制板を敷設したものである。
【考案の効果】
【０００５】  本考案は、以上の如く構成されているので、一般人又は施工業者又は施主等が実際に生ずる液状化現象の重大な恐ろしい現実を体験できる便利な効果と、アクリル容器内に細砂と水との上部に模型家屋を地表面に載置すると云う簡単な方法で液状化現象が容易に生ずると云う便利な効果がある。また、該アクリル容器の下端に設置した防振容器によっては、背面等に設けたスィッチにより、振動モーターが駆動して液状化現象が確実に起きる効果と、更に、電池容器の下部に敷設した防音用ウレタン使用の振動抑制板によって、各所で使用する場合でも騒音と振動を確実に防止すると云う便利な効果もある。
【図面の簡単な説明】
【０００６】
【図１】  本考案の液状化現象を再現する装置の正面図である。
【図２】  同じく本考案を実施した状態の家屋の傾斜した正面図である。
【図３】  同じく本考案の防振容器に振動モーターを装設した内部を開示した平面図である。
【図４】  本考案の電池容器の平面図である。
【図５】  同じく本考案に使用した振動抑制板の内部を開示した斜面図である。
【考案を実施するための形態】
【０００７】  上記のように構成されている液状化現象再現装置によれば、アクリル容器内に細砂と水を注入し、付属の混合棒で撹拌する。その後、実験したい付属の模型家屋を地表面に埋設する。そして、防振容器のスィッチにより振動モーターを駆動し、液状化現象が発生した状態を観察で出来るようになっている。
次に、実験が終了後は、模型家屋を取り除く作業をした後に、再度混合棒でよく撹拌し、再度実験が出来るようにする。
また、実験が終了後には、該アクリル容器に付属品である蓋体をして水分の蒸発を防止して、次回の使用時に便利とするものである。
更に、液状化現象が起こりにくい場合は、水分が蒸発している可能性があるため、少しずつ水分を補給して実験を可能とする。なお、観察のポイントとしては、液状化現象が起こると、地表面に水分が流出すると同時に地盤沈下が発生し、模型家屋の種類と、基礎工事の種類により模型家屋の傾斜具合等を充分に観察して確認するものである。
【実施例】
【０００８】  本考案の実施例について図面を参照して説明すると、図１について、アクリル容器（１）は、透明で四角形に形成され、内部には、例えば５００ｇの細砂（２）と、稍１１０ｇの水（３）を注入する。
該アクリル容器（１）の内部の該細砂（２）には、表面に模型家屋（５）を載置するものである。
次に、該アクリル容器（１）には、下部に防振容器（６）を設置する。該防振容器（６）には、図３及び図４に示す如く、内部に振動モーター（７）を所定位置に取着すると共に、内周面にウレタン等よりなる防音材（８）（８）を内貼してある。また、該防振容器（６）の内底部には、図４に示す如く電池容器（９）に複数の乾電池（１０）を収納直付けしてある。
また、該電池容器（９）には、底部に防音用ウレタン（１２）より形成された振動を吸収する振動抑制板（１１）を敷設した構造となっている。
【産業上の利用可能性】
【０００９】  現在の一般的な基礎工事の種類は（１）、（２）、（３）の工法がある。
（１）表層改良工事工法
表層改良工事とは、地面の表層部分を掘り起こし、セメント系固材等で強固地質にし、不同沈下を防ぐ方法である。
（２）ベタ基礎工法
建築物や設備機械の直下全面を板状の鉄筋コンクリートにした基礎工事の工法である。
（３）柱状改良工法、鋼管杭工法
堅い地盤支持層の深さまで杭を適量数打ち込み、建物を安定させる工法。及び比較的浅い場所に支持層がある場合には、柱状改良工法で、比較的深い場合には、鋼管杭工法を使用する。
地盤調査の結果、液状化現象の可能性が有る地盤では（１）、（３）の工法が有効である。一方、（２）の工法は最も施工されている工法だが、該地盤には有効であるとは言えない。施工業者や住宅購入者が、本考案の液状化現象再現装置により地盤調査に基づいた基礎工事の必要性を確認することが出来、該地盤での液状化現象による住宅被害を少なくする目的のものである。
【符号の説明】
【００１０】１          アクリル容器
２          細砂
３          水
５          模型家屋
６          防振容器
７          振動モーター
８          防音材
９          電池容器
１０        乾電池
１１        振動抑制板
１２        防音用ウレタン
【図１】
0003174431.tif 000003
【図２】
0003174431.tif 000004
【図３】
0003174431.tif 000005
【図４】
0003174431.tif 000006
【図５】
0003174431.tif 000007